(57)【要約】【課題】中心から順に光ファイバ心線、内部チューブ、抗張力繊維層、外装被覆を有する光コードを、ケースに引き留める場合に、引留部の厚さを薄くし、引留力を強くする。【解決手段】光コード１０を、外装被覆２４、抗張力繊維層２２、内部チューブ２０の順に段剥ぎし、段剥ぎされた部分を、外装被覆２４、抗張力繊維層２２、内部チューブ２０に跨る幅の両面粘着テープにより、ケースの底板２６から立ち上がるピン３８の間で、底板２６に貼り付ける。【選択図】　　図１
2004062020.tif 000002
【特許請求の範囲】
【請求項１】
中心から順に光ファイバ心線、内部チューブ、抗張力繊維層、外装被覆を有する光コードを、ケースに引き留める構造であって、前記光コードを、外装被覆、抗張力繊維層、内部チューブの順に段剥ぎし、段剥ぎされた部分のうち少なくとも抗張力繊維層を粘着テープによりケースの底板に貼り付けたことを特徴とする光コードの引留構造。
【請求項２】
粘着テープとして両面粘着テープを使用し、両面粘着テープの上面に保護カバーを貼り付けたことを特徴とする請求項１記載の光コードの引留構造。
【請求項３】
光コードの段剥ぎ部分が複数本平行に配列され、この配列部に一括して両面粘着テープが巻き付けられ、この両面粘着テープが、隣り合う光コードの間にケースの底板から立ち上がるピンの間で、ケースの底板に貼り付けられていることを特徴とする請求項１又は２記載の光コードの引留構造。
【発明の詳細な説明】
【０００１】
【発明の属する技術分野】本発明は、光コードをケースの一部に引き留める構造に関するものである。
【０００２】
【従来の技術】光コードをケース内に導入して、ケース内で光コードの光ファイバ心線を、相手方の光ファイバ心線又は光部品等に接続する場合には、光コードに外力がかかってもケース内の光ファイバ心線等に悪影響を及ばさないようにするため、ケースの一部に光コードを引き留めておく必要がある。
【０００３】従来、光コードをケースに引き留める手段としては、（１）　光コードに金属リングをカシメにより取り付けて、この金属リングをケースに固定する方法、（２）　ゴムやスポンジなどの弾性材にスリット入れた部材をケースに貼り付け、前記スリットに光コードを挟み込んで固定する方法などがある。
【０００４】
【発明が解決しようとする課題】金属リングを使用する方法は、引留力は強固であるが、仕上がり寸法が大きくなる、引留作業が煩雑である、コストが高い、といった問題がある。またスリット入り弾性部材を使用する方法は、引留力が弱いという難点がある。
【０００５】本発明の目的は、上記のような課題を解決した光コードの引留構造を提供することにある。
【０００６】
【課題を解決するための手段】本発明に係る光コードの引留構造は、中心から順に光ファイバ心線、内部チューブ、抗張力繊維層、外装被覆を有する光コードを、ケースに引き留めるものであって、前記光コードを、外装被覆、抗張力繊維層、内部チューブの順に段剥ぎし、段剥ぎされた部分のうち少なくとも抗張力繊維層を粘着テープによりケースの底板に貼り付けたことを特徴とするものである。
【０００７】本発明に係る光コードの引留構造は、粘着テープとして両面粘着テープを使用し、両面粘着テープの上に保護カバーを貼り付けた構成とすることが好ましい。
【０００８】また複数本の光コードを引き留める場合には、光コードの段剥ぎ部分を複数本平行に配列し、この配列部に一括して両面粘着テープを巻き付け、この両面粘着テープを、隣り合う光コードの間にケースの底板から立ち上がるピンの間で、ケースの底板に貼り付けた構成とすることが好ましい。
【０００９】
【発明の実施の形態】以下、本発明の実施の形態を、図面を参照して詳細に説明する。
【００１０】図１及び図２は本発明に係る光コードの引留構造の一実施形態を示す。図において、１０は光コード、１２はケース、１４は両面粘着テープ、１６は保護カバーである。
【００１１】光コード１０は、図３に示すように、中心から順に光ファイバ心線１８、内部チューブ２０、抗張力繊維層２２、外装被覆２４を有するものである。光コード１０の、ケース１２に引き留められる部分は、外装被覆２４、抗張力繊維層２２、内部チューブ２０の順に段剥ぎされている。
【００１２】またケース１２は、例えば図４に示すような光ファイバ心線余長収納ケースの形態である。図４において、２６は底板、２８は周壁、３０は光コード引留部、３２は底板２６から立ち上がる心線ガイド枠、３４は光ファイバ心線接続部の保持部、３６は光ファイバ心線の飛び出し防止片である。光コード引留部３０の底板２６からは、ピン３８が所定の間隔をおいて２列に立ち上がっている。ケース１２はこれ以外の形態であってもよい。
【００１３】この実施形態は、４本の光コード１０を一括してケース１２に引き留める場合である。４本の光コード１０の段剥ぎ部分は、前記ケース１２のピン３８の間に１本ずつ入る間隔で平行に配列し、この配列部に図５のように一括して両面粘着テープ１４を巻き付ける。両面粘着テープ１４は、外装被覆２４、抗張力繊維層２２、内部チューブ２０に跨って粘着するだけの幅を有している。
【００１４】光コード１０の段剥ぎ部分に巻き付けた両面粘着テープ１４は、図１及び図２のように、ケース１２の２列のピン３８の間で、底板２６に貼り付けられる。このとき光コード１０がピン３８の間に入るようにすることはもちろんである。さらに両面粘着テープ１４の上に金属又はプラスチック製の保護カバー１６を貼り付ける。これで光コード１０の引留が完了である。
【００１５】このような引留構造にすると、光コードの外装被覆２４、抗張力繊維層２２、内部チューブ２０がそれぞれ両面粘着テープ１４により、ケース１２の底板２６に固定されるため、強い引留力が得られる。
【００１６】以上の実施形態では、４本の光コードを一括して引き留める場合を示したが、光コードを１本ずつ引き留めることも可能である。また保護カバー１６はごみ等の付着を防止するために設けられるもので、省略することも可能である。また段剥ぎされた部分の外装被覆、抗張力繊維層、内部チューブを両面粘着テープによりケースに貼り付ける場合を説明したが、外装被覆と抗張力繊維層だけ、あるいは抗張力繊維層だけを貼り付けるようにしてもよい。
【００１７】
【発明の効果】以上説明したように本発明によれば、光コードを段剥ぎして外装被覆、抗張力繊維層、内部チューブをそれぞれ粘着テープによりケースに固定する構造にしたので、強い引留力を得ることができ、引留の信頼性を高めることができる。また金属リングを使用する場合に比べ厚さの薄い引留構造を得ることができ、ケースの小型化を図ることができる。
【図面の簡単な説明】
【図１】本発明に係る光コードの引留構造の一実施形態を示す平面図。
【図２】図１の引留構造の断面図。
【図３】光コードの段剥ぎ部を示す斜視図。
【図４】ケースの一例を示す平面図。
【図５】光コードの段剥ぎ部に両面粘着テープを巻いて保護カバーを被せる状態を示す斜視図。
【符号の説明】
１０：光コード
１２：ケース
１４：両面粘着テープ
１６：保護カバー
１８：光ファイバ心線
２０：内部チューブ
２２：抗張力繊維層
２４：外装被覆
２６：底板
３０：光コード引留部
３８：ピン
【図１】
2004062020.tif 000003
【図２】
2004062020.tif 000004
【図３】
2004062020.tif 000005
【図４】
2004062020.tif 000006
【図５】
2004062020.tif 000007